(57)【特許請求の範囲】
【請求項１】
扉の前板に形成された取手部取付用の孔と、該孔に挿入されて固定された取手部と、前記孔に挿入された取手部を収納可能な凹部を中央部に有し、周囲に平面状のフランジ部を有するシールカバーとを具え、前記シールカバーの凹部で前記扉の前板裏側から、前記孔とそれに挿入された取手部とを覆い、前記フランジ部と扉の前板の裏面との間を接着性のシール剤で封止したことを特徴とする扉取手部のシール装置。
【請求項２】
前記シールカバーを透明な材料で形成したことを特徴とする請求項１記載の扉取手部のシール装置。
【発明の詳細な説明】
【０００１】
【発明の属する技術分野】
本発明は、食器洗浄機の扉のように、内部から蒸気等が漏れ出ないように封止する扉に取り付けられる扉取手部のシール装置に関するものである。
【０００２】
【従来の技術】
図４は、食器洗浄機の外観図である。図４において、１１は扉、１２は取手部、１３は取手カバー、１８はスイッチパネルである。扉１１の内側にある洗浄室には、水平方向に回転する洗浄ノズルとすすぎノズルが上下に設けられており（図示せず）、洗浄する食器を中にセットした後、洗浄ノズルから６０℃程度の洗浄液を噴射して食器の洗浄を行い、その後、すすぎノズルから８０℃程度の温水を噴射してすすぎを行う。
【０００３】
このように、洗浄室内では温水を使用するので、扉の一部に隙間があると水蒸気がそこから漏れ出て、外側に結露が生じてしまう。そこで、扉１１の内側周囲はパッキン（図示せず）でシールするようにしている。
【０００４】
図５は、従来の扉取手部の一部切欠図であり、図６は、扉に取手部を取り付けた状態を示す図である。図５，図６において、符号１１〜１３は、図４のものに対応しており、１４は取付金属板、１５は止めネジ、１６はシリコンシール剤、１７は取手部１２取付用の孔である。
【０００５】
扉１１に形成した孔１７に樹脂で成形された取手部１２を嵌め込んで、裏側から取付金属板１４を当て、それと取手部１２とを止めネジ１５で締めつけて固定する。そして、目障りな止めネジ１５を隠すように取手カバー１３で覆うようにしている。
【０００６】
そのような取手部１２の取付部においては、扉１１に形成した孔１７と取手部１２との間にできる隙間から、洗浄機内部の蒸気が漏れ出てくる可能性がある。それを防ぐため、扉１１の裏面と取手部１２の周縁との隙間をシールする如く、シリコンシール剤１６を塗っている。
【０００７】
【発明が解決しようとする課題】
しかしながら、そのような従来の取手部１２のシール構造では、取手部１２の周囲に凹凸があって構造が複雑であるため、シリコンシール剤１６を塗布しにくい上、シリコンシール剤１６の塗布後、シールが確実に行われているか否かの確認がしにくいので、塗布の作業性も悪く、シール性が不確実になり易いという問題点があった。
【０００８】
本発明は、そのような問題点を解決し、扉取手部にシール剤を塗布する際の作業性を向上させると共に、シール不良を防止することにより製品の品質を向上させることを目的とするものである。
【０００９】
【課題を解決するための手段】
前記課題を解決するため、請求項１記載の扉取手部のシール装置は、扉の前板に形成された取手部取付用の孔と、該孔に挿入されて固定された取手部と、前記孔に挿入された取手部を収納可能な凹部を中央部に有し、周囲に平面状のフランジ部を有するシールカバーとを具え、前記シールカバーの凹部で前記扉の前板裏側から、前記孔とそれに挿入された取手部とを覆い、前記フランジ部と扉の前板の裏面との間を接着性のシール剤で封止したことを特徴とする。このようにすると、扉取手部のシール剤を塗布する際の作業性を向上させると共に、シールの品質を向上させることができる。
【００１０】
また、請求項２記載の扉取手部のシール装置は、前記シールカバーを透明な材料で形成したことを特徴とする。このようにすると、シール剤の塗布後、シールが確実に行われているか否かの確認が容易となって、シール剤を塗布する際の作業性がより一層向上する。
【００１１】
【発明の実施の形態】
以下、本発明の実施の形態を図面に基づいて詳細に説明する。
本発明を具備する食器洗浄機は、前面に食器を収納したラックを出し入れする開口を有しており、この開口を扉１にて開閉自在に閉塞している（図４参照）。
【００１２】
図１は、本発明の一実施形態の一部切欠図であり、図２は、図１のものにおいて扉に取手部を取り付けた状態を示す図である。図１，図２において、１は食器洗浄機の扉、１Ａ，１Ｂはその前板および裏板、２は取手部、３は取手カバー、４は取付金属板、５は止めネジ、６はシールカバー、７はシールカバー６の凹部、８はシールカバー６のフランジ部、９はシリコンゴム等よりなるシール剤、１０は取手部取付用の孔である。
【００１３】
食器洗浄機内に形成された洗浄室には、水平方向に回転する洗浄ノズルとすすぎノズルが上下に設けられており（図示せず）、洗浄する食器を中にセットした後、洗浄ノズルから６０℃程度の洗浄液を噴射して食器の洗浄を行い、その後、すすぎノズルから８０℃程度の温水を噴射してすすぎを行う。
【００１４】
そのように、洗浄室内では温水を使用するので、扉１の一部に隙間があると水蒸気がそこから漏れ出て、外側に結露が生じてしまう。そこで、洗浄室からの水蒸気が漏れ出るのを防止するため、扉１の内側周囲はパッキン（図示せず）でシールしている。
【００１５】
扉１への取手部２の取付は、扉１の前板１Ａに形成した孔１０に取手部２を嵌め込んで、裏側から取付金属板４を当て、取手部２と取付金属板４とを止めネジ５で締めつけることにより行っている。そして、目障りな止めネジ５を隠すように取手カバー３で覆うようにしている。さらに、孔１０とそれに嵌め込んだ取手部２との間から水蒸気が漏れ出ないようにするため、シールカバー６で、扉１の前板１Ａの裏側から、孔１０とそれに挿入された取手部２とを覆うようにしている。
【００１６】
シールカバー６は、図３に示すように、孔１０に挿入された取手部２を収納可能な凹部７を中央部に有し、その周囲全体に平面状のフランジ部８を有している。そして、フランジ部８全面にシリコンゴム等よりなるシール剤９を塗って、それにより、シールカバー６を扉１の前板１Ａの裏面に貼り着け、シールカバー６を扉１に固定している。さらに、その上から裏板１Ｂを被せている。そのようにした結果、裏板１Ｂの取付隙間から洗浄室内の水蒸気が漏れ出ることがあっても、シールカバー６とシール剤９とにより、その水蒸気が外側にまで漏れ出ることがなくなる。
【００１７】
シールカバー６を形成する材料としては、安価で入手が容易であり、しかも、耐熱性がある硬質塩化ビニールが好適である。また、シリコンゴム等を用いることもできる。それらの内、特に、透明なものを用いれば、シールカバー６を扉１の前板１Ａの裏側に貼り着けた後、フランジ部８と前板１Ａとの間を密封するシール剤９の状態を目で直接確認することができ、シールが確実に行われているか否かの確認が容易となる。
【００１８】
なお、上記実施形態では、食器洗浄機を例にして説明したが、本発明は、食器洗浄機だけに限定されず、シールが必要とされる扉に取り付けられる扉取手部であれば、その他の装置の扉取手部にも適用することができる。
【００１９】
【発明の効果】
本発明は、以上説明したように構成されているので、次に記載するような効果を奏する。
請求項１記載の扉取手部のシール装置は、シールカバーを被せてシール剤で貼り着けるだけで済むので、シール剤を塗布する際の作業性を向上させると共に、シールの品質を向上させることができる。
【００２０】
また、請求項２記載の扉取手部のシール装置は、シールカバーを透明にしたので、シール剤の塗布後、シールが確実に行われているか否かの確認が容易となって、シール剤を塗布する際の作業性およびシールの品質をより一層向上させることができる。
【図面の簡単な説明】
【図１】本発明の一実施形態の一部切欠図である。
【図２】図１のものにおいて扉に取手部を取り付けた状態を示す図である。
【図３】シールカバーの一例を示す図である。
【図４】食器洗浄機の外観図である。
【図５】従来の扉取手部の一部切欠図である。
【図６】扉に取手部を取り付けた状態を示す図である。
【符号の説明】
１…扉
２…取手部
３…取手カバー
４…取付金属板
５…止めネジ
６…シールカバー
７…凹部
８…フランジ部
９…シール剤
【図１】
0003653374.tif 000002
【図２】
0003653374.tif 000003
【図３】
0003653374.tif 000004
【図４】
0003653374.tif 000005
【図５】
0003653374.tif 000006
【図６】
0003653374.tif 000007